(57)【要約】【課題】相性診断対象である個体間の相性診断を簡易に行う。【解決手段】相性診断用カード１は、カード本体１Ａを有し、１人の男性の白血球抗原情報である、６種類のローカスにおける各アリルが該当箇所に孔を開ける記録態様と、それ以外の箇所に孔を開ける記録態様とで記録されている。他方、相性診断用カード２はカード１Ａと同一形状のカード本体２Ａを有し、１人の女性の白血球抗原情報である、６種類のローカスにおける各アリルに対して、男性のカード本体１Ａの場合と逆の記録方法で孔が形成されている。相性診断用カード１，２を重ねた状態で、孔の対面、つまり光の通り抜けを確認することで相性診断が行われる。【選択図】図３
2010237758.tif 000002
【特許請求の範囲】
【請求項１】
各個体の白血球抗原情報であって所定の複数種類のローカスにおける各アリルに関する個体属性情報が所定の記録媒体に記録されてなる相性診断用部材。
【請求項２】
前記ローカスの各アリルの位置が前記記録媒体の表面に予め対応付けられ、相性診断対象の一方種類の個体側の記録媒体については該当するアリルの位置に第１の記録態様で記録がなされた領域を有し、他方種類の個体側の記録媒体については該当するアリル以外のアリルの位置に第２の記録態様で記録がなされた領域を有し、前記相性診断対象の両記録媒体を重ねたときの第１、第２の記録態様の重なり具合から相性の良否が認識可能であることを特徴とする請求項１記載の相性診断用部材。
【請求項３】
前記記録媒体はカード形状を有し、前記第１の記録態様は、一方種類の個体側の記録媒体については該当するアリルの位置に孔が開けられていることであり、前記第２の記録態様は他方種類の個体側の記録媒体については該当するアリル以外のアリルの位置に孔が開けられていることであり、かつ前記複数種類のローカスのうち前記第１の記録態様と前記第２の記録態様とが略半分ずつ採用されていることを特徴とする請求項２記載の相性診断用部材。
【請求項４】
前記相性診断対象がヒトである場合に、少なくとも女性側については、父方由来の白血球抗原情報と母方由来の白血球抗原情報とが記録されていることを特徴とする請求項２又は３に記載の相性診断用部材。
【請求項５】
前記相性診断対象がヒトである場合に、女性側については、父方由来の白血球抗原情報が記録された第１の記録媒体と、母方由来の白血球抗原情報が記録された第２の記録媒体とを備える請求項２〜４のいずれかに記載の相性診断用部材。
【請求項６】
前記相性診断対象がヒトである場合に、前記個体属性情報は１次元の単一情報に置換され、前記単一情報は五感のうちの１つ感覚に訴える刺激の大きさに対応していることを特徴とする請求項１記載の相性診断用部材。
【請求項７】
請求項１〜６のいずれかに記載の相性診断用部材の２個分の記録内容から該２個分の相性診断用部材間の相性診断を行う相性診断器であって、前記２個の相性診断用部材からそれぞれの固体属性情報を読み取る読取手段と、読み取った内容から相性診断を行う相性診断手段と、診断結果を報知する報知手段とを備えたことを特徴とする相性診断器。
【発明の詳細な説明】
【技術分野】
【０００１】
本発明は、個体間の相性診断を可能にするべく、個体の白血球抗原情報が記録された相性診断用部材及びこれを用いた相性診断器に関する。
【背景技術】
【０００２】
特許文献１には、Suma Jacob, Martha K. McClintock, Bethanne Zelano, and Carole Ober:Paternally inherited HLA alleles are associated with women’s choice of maleodor. Nature Genetics 30, 175-179, 2002（当該特許文献１中で引用されている非特許文献１）及びWedekind C, and Furi S: Body odour preferences in men and women: dothey aim for specific MHC combinations or simply heterozygosity? Proc R SocLond B Biol Sci. 264, 1471-1479, 1997（当該特許文献１中で引用されている非特許文献２）に記載された、各個人が持つＨＬＡ（ヒト白血球抗原：Human Leukocyte Antigen）の型の一致度が低い人同士ほど好感度が高いこと、また、ＨＬＡは人体の匂いに関係しており、女性が好む男性の匂いのタイプはＨＬＡの型と深い関係があり、特に父方由来のＨＬＡの影響を強く受けるとの内容に基づいて、ＨＬＡの型と人間の相性との相関を構築した相性判定システムが報告されている。この相性診断システムは、データベースに予め多数のユーザのＨＬＡが登録されており、外部からの入力条件に対して、各ユーザのＨＬＡ型との一致度を相互に比較し、一致度が低いほど高スコアとなるような算定方法によって、該当するユーザをデータベース中から抽出し、その結果を出力手段によって出力するようにしたものである。これにより、多数の登録ユーザ中から、入力条件に対して相性の高いユーザを精度良く選出することができる。
【先行技術文献】
【特許文献】
【０００３】
【特許文献１】特開２００７−３４５１９号公報
【発明の概要】
【発明が解決しようとする課題】
【０００４】
特許文献１は、データベースに登録されている複数のユーザの中から入力条件に対して相性の程度をスコアで算定することで相性の高い者を選出するものであるため、予めデータベースに多数のユーザを登録しておく必要があり、システムが大掛かりとなる傾向がある。
【０００５】
本発明は上記に鑑みてなされたもので、相性診断対象である個体間の相性診断を簡易に行うことができる相性診断用部材及び相性診断器を提供するものである。
【課題を解決するための手段】
【０００６】
請求項１記載の発明は、各個体の白血球抗原情報であって所定の複数種類のローカスにおける各アリルに関する個体属性情報が所定の記録媒体に記録されてなる相性診断用部材である。
【０００７】
この発明によれば、相性診断用部材は記録媒体を主体として有しており、この記録媒体に、各個体の白血球抗原情報であって所定の複数種類のローカスにおける各アリルに関する個人属性情報が記録されている。従って、個体間の相性診断に際しては、相性診断を希望する２人（ヒト以外の場合では２個の）の相性診断用部材を重ねる等してお互いに関わり合わせたり、記録情報を読み取って相性診断したりすることで、個体間の相性が簡易に判る。なお、個体間とは、ヒト同士の他、ヒトと部分的に共通乃至は類似した白血球抗原情報を有する動物同士、また、ヒトとペットとしての動物との間をいう。
【０００８】
請求項２記載の発明は、請求項１記載の相性診断用部材において、前記ローカスの各アリルの位置が前記記録媒体の表面に予め対応付けられ、相性診断対象の一方種類の個体側の記録媒体については該当するアリルの位置に第１の記録態様で記録がなされた領域を有し、他方種類の個体側の記録媒体については該当するアリル以外のアリルの位置に第２の記録態様で記録がなされた領域を有し、前記相性診断対象の両記録媒体を重ねたときの第１、第２の記録態様の重なり具合から相性の良否が認識可能であることを特徴とする。この構成によれば、相性診断対象となる一方種類、他方種類の個体側の記録媒体間で、対面する部分において、アリル位置への記録態様が異なることで、両方の記録媒体が重ねられると、アリルの一致度合いが識別でき、この結果、相性判断が可能となる。なお、第１の記録態様、第２の記録態様としては種々の方向が採用可能である。また、相性診断対象となる一方種類、他方種類の個体とは、個体がヒトの場合、男と女である。
【０００９】
請求項３記載の発明は、請求項２記載の相性診断用部材において、前記記録媒体はカード形状を有し、前記第１の記録態様は、一方種類の個体側の記録媒体については該当するアリルの位置に孔が開けられていることであり、前記第２の記録態様は他方種類の個体側の記録媒体については該当するアリル以外のアリルの位置に孔が開けられていることであり、かつ前記複数種類のローカスのうち前記第１の記録態様と前記第２の記録態様とが略半分ずつ採用されていることを特徴とする。この構成によれば、記録媒体を重ねた状態で、２つの記録媒体を光が通り抜けるとき両個体間のアリルは不一致となり、相性が良いということになる。また、第１の記録態様と前記第２の記録態様とが略半分ずつ採用されるので、一方の記録媒体に孔が集中して強度が著しく低下するということがなくなり、両記録媒体の強度が略等しく分散される。
【００１０】
請求項４記載の発明は、請求項２又は３に記載の相性診断用部材において、前記相性診断対象がヒトである場合に、少なくとも女性側については、父方由来の白血球抗原情報と母方由来の白血球抗原情報とが記録されていることを特徴とする。この構成によれば、女性は、特に父方由来のＨＬＡの影響を強く受ける点を相性診断に適用させることが可能となる。なお、女性の父方由来の白血球抗原情報と男性の白血球抗原情報とを比較する場合には、両方のアリルが一致しているほど相性が良いということになる。
【００１１】
請求項５記載の発明は、請求項２〜４のいずれかに記載の相性診断用部材において、前記相性診断対象がヒトである場合に、女性側については、父方由来の白血球抗原情報が記録された第１の記録媒体と、母方由来の白血球抗原情報が記録された第２の記録媒体とを備える。この構成によれば、女性は、父方由来用と、母方由来用の記録媒体を有するので、個別に相性診断が可能となる。
【００１２】
請求項６記載の発明は、請求項１記載の相性診断用部材において、前記相性診断対象がヒトである場合に、前記個体属性情報は１次元の単一情報に置換され、前記単一情報は五感のうちの１つ感覚に訴える刺激の大きさに対応していることを特徴とする。この構成によれば、記録媒体には、複数種類のローカスにおける各アリルに関する個体属性情報そのものではなく、これに関連して置換された情報が記録される。従って、相性診断においては、相性診断対象となる両方の記録媒体に記録されている、ある１つの感覚に訴える刺激の大きさを感じることで相性診断が可能となる。
【００１３】
請求項７記載の発明は、請求項１〜６のいずれかに記載の相性診断用部材の２個分の記録内容から該２個分の相性診断用部材間の相性診断を行う相性診断器であって、前記２個の相性診断用部材からそれぞれの固体属性情報を読み取る読取手段と、読み取った内容から相性診断を行う相性診断手段と、診断結果を報知する報知手段とを備えたことを特徴とするものである。この構成によれば、２個の相性診断部材の記憶情報である個人属性情報が読取手段によって読み取られると、自動的に相性が診断され、その結果が報知されるので、相性診断処理が容易となる。相性診断器は、卓上式であってもよいし、インターネット等のネットワーク上に設けられた専用のサーバであってもよい。この場合、相性診断用部材は個人属性情報を電子メールで通信可能にした携帯電話機等の通信端末であることが好ましい。
【発明の効果】
【００１４】
本発明によれば、相性診断対象である個体間の相性診断を簡易に行うことができる。
【図面の簡単な説明】
【００１５】
【図１】本発明に利用されるＨＬＡ（ヒト白血球抗原：Human LeukocyteAntigen）情報を示す図である。
【図２】ＨＬＡ情報が記録された相性診断用カードの一例を示す平面図で、図２（ａ）は男性用（又は女性用）相性診断用カード１であり、図２（ｂ）は女性用（又は男性用）相性診断用カード２である。
【図３】相性診断方法を説明するための図である。
【図４】相性診断用カードの他の実施形態を示す平面図である。
【図５】相性診断器の構造の一例を示す斜視図である。
【図６】図５の回路構成図である。
【図７】相性診断処理を示すフローチャートである。
【図８】相性診断処理の「相性診断Ｉ」方法のフローチャートである。
【図９】相性診断処理の「相性診断II」方法のフローチャートである。
【図１０】相性診断器（システム）の構成図である。
【図１１】相性診断器を構築する携帯電話機及び専用サーバの各機構ブロック図である。
【図１２】携帯電話機側の相性診断処理のフローチャートである。
【図１３】専用サーバ側の相性診断処理のフローチャートである。
【図１４】相性診断用カードのさらに他の実施形態を示す平面図である。
【発明を実施するための形態】
【００１６】
図１は、本発明に利用されるＨＬＡ（ヒト白血球抗原：Human LeukocyteAntigen）情報を示す図である。図１において、ＨＬＡ情報は、第６染色体短腕上に存在する遺伝子で、６つのローカス（Locus；遺伝子座）から構成されている。ローカスは、Ａ，Ｂ，Ｃ，ＤＲＢ１，ＤＱＢ１，ＤＰＢ１の６種類がある。そして、各ローカスには、塩基（アデニン(A) 、グアニン(G) 、チミン(T) 、シトシン(C) の4種類）配列の種類に応じた数のアリル（Allele；対立遺伝子）が存在する。図１に示すＨＬＡ情報は、ＨＬＡ情報の全種類のうちから、所定比率、例えば１％以上の頻度を有するアリル（本実施形態では、８０個）を抽出したものである。
【００１７】
図１に示す各ローカスとアリルとの関係は、ローカスＡは、[Ａ０２０１]，[Ａ０２０６]〜[Ａ３３０３]までの１０種類、ローカスＢは、[Ｂ０７０２]，[Ｂ１３０３]〜[Ｂ６７０１０１]までの１９種類、ローカスＣは、[Ｃｗ０１０２]，[Ｃｗ０３０３]〜[Ｃｗ１５０２]までの１２種類、ローカスＤＲＢは、[ＤＲＢ１０１０１]，[ＤＲＢ１０４０１]〜[ＤＲＢ１１５０２０１]までの１９種類、ローカスＤＱＢは、[ＤＱＢ１０３０１０１]，[ＤＱＢ１０３０２０１]〜[ＤＱＢ１０６０４０１]までの１１種類、ローカスＤＰＢは、[ＤＰＢ１０２０１]，[ＤＰＢ１０２０２]〜[ＤＰＢ１１４０１]までの９種類である。８０種類程度準備しておけば、ヒトのほとんどの白血球は同定できると考えられる。
【００１８】
まず、ＨＬＡの検査について説明する。ＨＬＡ情報は、ヒトの血液、唾液中のＤＮＡとして採取することができる。採取された血液、唾液中のＤＮＡは、例えば公知のポリメラーゼ連鎖反応（Polymerase Chain Reaction; PCR）を利用して増幅される。ＰＣＲ法とは、２本鎖ＤＮＡを水溶液中で高温にして変性させて、１本鎖ＤＮＡに分け、次いで、１本鎖ＤＮＡとなった溶液を冷却することで相補的なＤＮＡであるプライマーを互いに結合させて再び２本鎖とする（アニーリング）方法である。次に、検査対象のＨＬＡの塩基配列の種類、すなわちＨＬＡの各ローカスのアリルが、マクサム・ギルバート法（Ｍａｘａｍ・Ｇｉｌｂｅｒｔ法、化学分解法）、サンガー法（Ｓａｎｇｅｒ法、酵素法）、又は電気泳動法によって特定される（検査される）。
【００１９】
前記検査は、公的機関でも行ってもよいし、近年では検査試薬を含む検査キットが販売されており、これを利用してもよい。本発明は、唾液等の検査によって自己のＨＬＡが判明したら、判明したＨＬＡを相性診断用カード（図２参照）に記録するようにしている。
【００２０】
今、図１に白枠で示すように、ある被験者のＨＬＡ情報が、ローカスＡはアリル[Ａ２４０２]であり、ローカスＢはアリル[Ｂ５４０１]であり、ローカスＣはアリル[Ｃｗ０４０１] あり、ローカスＤＲＢはアリル[ＤＲＢ１０４０６]であり、ローカスＤＱＢはアリル[ＤＱＢ１０５０１０１]であり、ローカスＤＰＢはアリル[ＤＰＢ１０２０２]であった場合について説明する。
【００２１】
図２は、ＨＬＡ情報が記録された相性診断用カードの一例を示す平面図で、図２（ａ）は男性用（又は女性用）相性診断用カード１であり、図２（ｂ）は女性用（又は男性用）相性診断用カード２である。図２の相性診断用カード１，２は、薄層で所定サイズの長方形のカード本体１Ａ，２Ａを有し、その表面は、図１に示す６つのローカス及びそれぞれのアリルの位置と一致するようにして情報が記録されている。本実施形態では、記録方法は、孔の有無である。
【００２２】
相性診断用カード１，２のカード本体１Ａ，２Ａは、同一サイズであり、かつ、その表面上に、各ローカスＡ〜ローカスＤＰＢについて同一の領域が寸法取りされ、さらに、各ローカスについて、各アリルが同様に対応付けられている。すなわち、相性診断用カード１，２を、それらの四隅を合わせて重ねた場合、両カード１，２の対応するローカス及びアリルが対面するようになっている。相性診断用カード１，２の材質はプラスチック等の樹脂性でもよく、あるいは金属、木材、石材等であってもよい。相性診断用カード１，２に形成乃至は穿孔される孔はＮＣ（Numerical Control）マシン、パンチングマシン等を用いればよい。あるいはレーザ加工、水ジェット加工の穿孔機などによっても可能である。
【００２３】
また、男性用の相性診断用カード１において、図１の各アリルの位置を参照して、ローカスＡはアリル[Ａ２４０２]であり、該当する箇所にのみ孔１０１が形成されている一方、ローカスＢはアリル[Ａ５４０１]であり、該当する箇所には孔はなく（破線で示している）、該当する箇所以外のアリルに全て孔１０２が形成されている。同様にして、ローカスＣには該当箇所にのみ孔１０３が形成され、ローカスＤＲＢには該当箇所以外のアリルに全て孔１０４が形成され、ローカスＤＱＢには該当箇所にのみ孔１０５が形成され、ローカスＤＰＢには該当箇所以外のアリルに全て孔１０６が形成されている。
【００２４】
一方、ＨＬＡ情報が同一であったと想定して、女性用の相性診断用カード２においては、ローカスＡには該当箇所以外のアリルに全て孔２０１が形成され、ローカスＢには該当箇所にのみ孔２０２が形成され、ローカスＣには該当箇所以外のアリルに全て孔３０３が形成され、ローカスＤＲＢには該当箇所にのみ孔２０４が形成され、ローカスＤＱＢには該当箇所以外のアリルに全て孔２０５が形成され、ローカスＤＰＢには該当箇所にのみ孔２０６が形成されている。
【００２５】
図３は、相性診断方法を説明するための図である。相性診断用カード１，２は、説明の便宜上、互いに離して示しているが、実際には両カードの四隅を一致させて重ねることで相性診断が可能となる。なお、図３では、相性診断用カード１の孔１０６が図２と異なっている。すなわち、アリル[ＤＰＢ１０２０１]とアリル[ＤＰＢ１０２０２]の孔の有無が逆に設定されている。これは、図２ではＨＬＡが男女で一致している一方、図３では、相性診断対象である男女のＨＬＡにローカスＤＰＢで不一致がある場合を示すためである。
【００２６】
図中、相性診断用カード１，２の法線方向に平行な６本の線分は、両カード１，２の各ローカス毎に開けられた孔が対向しているか否かを示している。この例では、相性診断用カード１，２は１箇所を除いて、図２の相性診断用カード１，２と同一位置に孔が開けられている。すなわち、前述したように、相性診断用カード１のローカスＤＰＢが[ＤＰＢ１０２０１]であるとしている。従って、図３に示すとおり、相性診断用カード１のローカスＤＰＢの[ＤＰＢ１０２０２]の箇所には孔１０６が開けられている。
【００２７】
以上において、相性診断用カード１のローカスＡの孔１０１と相性診断用カード２のローカスＡの複数の孔２０１とはいずれも対向していないため、上下方向の光は両カード１，２を通り抜けない。同様に、相性診断用カード１のローカスＢ…ローカスＤＱＢまで、さらに相性診断用カード１のローカスＤＱＢの孔１０５と相性診断用カード２のローカスＤＱＢの複数の孔２０５とはいずれも対向していないため、上下方向の光は両カード１，２を通り抜けない。一方、相性診断用カード１のローカスＤＰＢの複数の孔１０６の１つと相性診断用カード２のローカスＤＰＢの孔２０６とは対向しているため、上下方向の光は両カード１，２を通り抜ける。すなわち、相性診断用カード１のローカスＤＰＢの[ＤＰＢ１０２０２]の箇所には孔１０６と相性診断用カード２のローカスＤＰＢの[ＤＰＢ１０２０２]の箇所には孔２０６が開いている。
【００２８】
従って、図３の例では、６つのローカスのうち、ローカスＤＰＢ以外について両者のＨＬＡが一致したことになる。前述のとおり、個人が持つＨＬＡの型の一致度が低い人同士ほど好感度が高いこと、すなわち相性が高いことからして、この場合には、ローカスの過半数が一致であるから、常識的には、相性が悪いということになる。一方、ローカスの３つ以上で一致（すなわち、光が通り抜ける）があった場合には、お互いの相性が悪いということになる。
【００２９】
相性診断用カード１，２の所持を希望する者は、ＨＬＡ検査を受け、次いで、男性であれば相性診断用カード１を、女性であれば、相性診断用カード２を取得することが可能である。そして、互いに相性診断用カードを所持する男女が、相性診断を行う際に、互いに相性診断用カード１，２を重ね、孔の重なり具合（光の通り抜け具合）を観察するという簡易な操作のみで相性診断が可能となる。
【００３０】
なお、相性の良否は、ローカスの一致数の過半数で区分せず、他の基準でもよい。あるいは、特定のローカスが一致、又は不一致であったか否か等によって判断するようにしてもよい。
【００３１】
このように、相性診断用カード１，２においては、相性診断用カード１が該当箇所に孔を開ける記録方法（第１の記録方法）としている場合では、相性診断用カード２が該当箇所以外の全箇所に孔を開ける記録方法（第２の記録方法）としている。また、相性診断用カード１が該当箇所以外の全箇所に孔を開ける記録方法としている場合では、相性診断用カード２が該当箇所に孔を開ける記録方法としている。これにより、相性診断用カード１，２間で、記録方法を逆の関係とすることで、相性診断用カード１，２間で相性が良いほど、互いの孔が重なる数（光の通り抜ける孔の数）を多くすることができる。従って、相性診断を希望する対象者の相性診断用カード１，２を重ねるだけで、光の通り抜ける孔の個数を容易に視認することができるため、相性診断操作が極めて容易となる。
【００３２】
また、相性診断用カード１，２はそれぞれ、互いに隣接するローカス間で、該当箇所に孔を開ける記録方法（第１の記録方法）と該当箇所以外の全箇所に孔を開ける記録方法（第２の記録方法）とが交互になるようしている。これは、一方のカードに対して該当箇所以外の全箇所に孔を開ける記録方法（第２の記録方法）を一律採用すると、孔の個数が勢い多くなりすぎて、カードの強度維持が図りにくくなるためである。なお、該当箇所に孔を開ける記録方法と該当箇所以外の全箇所に孔を開ける記録方法とをローカス毎に交互にする必要はなく、ローカス２つ毎に変えてもよいし、あるいは他の所定の方法でもよい。いずれの態様を採用するにしても、男女の相性診断用カード１，２が、対応するローカスでは互いに逆の記録方法となるように作成する必要がある。
【００３３】
図４は、相性診断用カードの他の実施形態を示す平面図である。図２，３で示した相性診断用カード１，２は、ＨＬＡ情報のうちの父方由来の遺伝子か母方由来の遺伝子かの一方についてのものであり、実際には、ヒトは、両方に由来の遺伝子を半分ずつ持っている。従って、図２、３の実施態様では、ヒトは、父方由来のＨＬＡ情報が記録された相性診断用カードと母方由来のＨＬＡ情報が記録された相性診断用カードの２個を持つ必要がある。あるいは、図２、３に示す相性診断用カード１，２の各ローカスに父方及び母方由来の両ＨＬＡ情報を合わせて記録することが必要である。ところで、女性は匂いのタイプについて特に父方由来のＨＬＡの影響を強く受けるとの前記報告に基づけば、少なくとも女性については、相性診断用カードとして父方及び母方由来のＨＬＡ情報を個別に（識別可能に）記録することが好ましい。
【００３４】
図４は、図２，３に示した相性診断用カード２を左右方向に２倍のサイズとしたカード２０を製造し、左右側に対して、詳細には、対応する各アリルの位置が点対称となるように（すなわち左右で前後逆向きとなる）相性診断用カード部２１，２２を設けたものである。図中の文字は、各ローカス及び向きを示している。相性診断用カード部２１は例えば父方由来のＨＬＡ情報であり、相性診断用カード部２２は例えば母方由来のＨＬＡ情報である。このようにすれば、男性側の相性診断用カード１が、図２、３に示すタイプであっても対応できる。また、男性側の相性診断用カード１が、図４と同様な形状のカードである場合、父方由来同士、母方由来同士の他、お互いの父方由来と母方由来とでＨＬＡ情報の比較（診断）も、一方を１８０度回転することで可能となる。
【００３５】
なお、相性診断用カード１，２，２０等は、カード表面の各ローカスのアリル位置の全てに予め孔を穿孔しておき、各自の入手したＨＬＡ情報に従って、必要な孔はそのままとし、それ以外の孔を塞ぐ処理を行うことで、カードを完成させる態様であってもよい。孔を塞ぐ方法としては、例えば不透明色の塗料を塗布する態様や孔を塞ぐべく予め準備された栓部材を圧入する態様が考えられる。
【００３６】
図５は、相性診断器の構造の一例を示す斜視図で、図６はその回路構成図である。図２〜図４では、人診断結果を人間に視認容易に提示するものであったが、図５、図６では、相性診断を機械に自動的に行わせるようにしたものである。
【００３７】
相性診断器３は、所定形状、例えば直方体形状を有し、所定の電源コード３ａによって図略の電源に接続可能にされている。相性診断器３は、手前側面に相性診断用カード１，２を交互に、あるいは同時に挿入可能な挿入部３１ａが形成されている。挿入部３１ａの内部には、挿入されたカード１，２から、ＨＬＡ情報を読み取る情報読取部３１が設けられている。また、相性診断器３の上面には、診断開始指示等を行うための操作ボタン等の操作部３２が設けられると共に、所定サイズの液晶ディスプレイやプラズマディスプレイからなる、文字乃至は画像が表示可能な表示部３５が設けられている。この場合の相性診断用カードは、図２〜図４のカードでもよいが、むしろＨＬＡ情報が光学的による他、電子的あるいは磁気的に読み取り可能な態様で記録されている方が好ましい。光学的とは孔の有無や、透明不透明、識別可能な色違い、バーコード等であり、電子的とはＲＯＭ（Read Only Memory）などの電子的な記録媒体であり、磁気的とは磁気インク等で書き込まれたり、貼付された磁気テープ部に着磁の有無によって記録されたコード情報である。
【００３８】
図６において、相性診断部３３は情報読取部３１によって読み取った相性診断用カード１，２の各ＨＬＡ情報から、図３と同様の相性診断原理に基づき、ローカス毎にアリルの一致、不一致を判断し、不一致数が所定数、本実施形態では過半数を超えたか否かの判断を行うものである。不一致数が過半数を超えた場合、出力部３４は表示部３５に、例えば「相性は良いです。」の表示を行わせる。一方、過半数に達しない場合、出力部３４は表示部３５に、例えば「相性は良くないです。」の表示を行わせる。診断結果の表示は、内蔵のタイマー等を利用して所定時間、例えば３０秒に制限する態様としてもよいし、操作部３２を操作することで消去する態様としてもよい。なお、表示内容は、アリルの不一致数に応じて段階的に異なるものとしてもよい。例えば、不一致数が１個〜２個の場合、「相性は最悪です。」とし、次いで、不一致数が３個の場合、「相性は悪い方です。」とし、次いで、不一致数が４個の場合、「相性は良い方です。」とし、次いで、不一致数が５個や６個の場合、「相性は最良です。」としてもよい。
【００３９】
なお、相性診断部３３がマイクロコンピュータで構成されている態様では、相性診断プログラムは図略の記憶部に記憶されている。そして、相性診断部３３は、記憶部から相性診断プログラムを読み出すことによって相性診断処理を実行する。
【００４０】
図７は、相性診断部３３によって実行される相性診断処理を示すフローチャートである。図７において、先ず、電源オン後に、相性診断用カード１（又は相性診断用カード２）が挿入されてＨＬＡ情報が第１カードデータとして読み取られたか否かが判断される（ステップＳ１）。この判断が肯定されると、相性診断用カード２（又は相性診断用カード１）が挿入されてＨＬＡ情報が第２カードデータとして読み取られたか否かが判断される（ステップＳ３）。この判断が否定されると、所定時間待機され（ステップＳ５）、否定が継続していれば、本フローを抜ける。一方、所定時間以内に第２カードデータが読み取られたと判断されると、相性診断処理が実行され（ステップＳ７）、結果が予め設定された時間だけ表示部３５に表示される（ステップＳ９）。
【００４１】
図８は、ステップＳ７の相性診断処理の「相性診断Ｉ」方法のフローチャートである。図８において、まず、女性側の父方由来のＨＬＡ情報の有無が判断される（ステップＳ２１）。女性側の父方由来のＨＬＡ情報が読み取られていなければ（乃至は、父方由来と母方由来とが区別されていない態様のＨＬＡ情報であれば）、女性のＨＬＡ情報と男性のＨＬＡ情報との各アリルの一致不一致の対比が行われて（ステップＳ２３）、ステップＳ２５に進む。
【００４２】
一方、女性側の父方由来のＨＬＡ情報が読み取られていれば、女性の父方由来のＨＬＡ情報と男性のＨＬＡ情報との各アリルの一致不一致の対比が行われ（ステップＳ２７）、対比結果から、一致した数が所定数（例えば過半数）以上か否かが判断される（ステップＳ２９）。一致した数が所定数（例えば過半数）未満であると、ステップＳ２３に進んで、いわば通常の女性のＨＬＡ情報と男性のＨＬＡ情報との各アリルの一致不一致の対比が行われた後、ステップＳ２５に進む。ステップＳ２５では、ローカス毎のアリルの不一致数が過半数（本実施形態では、“４”以上）か否かが判断される。過半数以上であれば相性「良」と診断され（ステップＳ３１）、過半数に達しなければ相性「悪」と判断される（ステップＳ３３）。
【００４３】
なお、ステップＳ２９で一致した数が所定数以上であると判断された場合、父方由来のＨＬＡと男性のＨＬＡとの対比診断をステップＳ２３に対して優先するべく、相性「良」と診断される（ステップＳ３１）。
【００４４】
図９は、ステップＳ７の相性診断処理の「相性診断II」方法のフローチャートである。図９は、ローカス毎の該当するアリルを、ある次元の個人属性に置換し、置換結果を相性診断用カード１，２に記録するようになされた態様に適用するものである。典型的には、１次元上の値、２次元や３次元である仮想的な情報（位置情報等）である。例えば、図１において、予め設定された基準とする基準アリルとカード毎における該当するアリルとの距離（のローカス毎の和）を個人属性とする方法である。
【００４５】
図９において、読み込まれた男女の相性診断用カードの個人属性の差分が算出され（ステップＳ４１）、次いで、算出された差分が相性度合いに置換される（ステップＳ４３）。例えば、差分がある値以上であると相性「良」とされ、逆の場合は相性「悪」とされる。なお、相性診断用カードに記録される情報は、図２〜図４と同様とし、相性診断処理を差分の和を算出して行うようにしてもよい。
【００４６】
続いて、本発明に係る相性診断器を、図１０〜図１３を用いて説明する。図５〜図６に示す実施形態は、相性診断を機械に自動的に行わせるようにしたものであるが、以下の実施形態は、インターネット等のネットワークを利用して自動的に相性診断を行わせるようにしたものである。
【００４７】
図１０は、相性診断器（システム）の構成図であり、図１１は、相性診断器を構築する携帯電話機及び専用サーバの各機構ブロック図である。この実施形態に示す相性診断器は、電子メールが送受信可能な携帯電話機４（４１，４２）とネットワーク上に設けられる専用サーバ６とから構成される。この実施形態に係る相性診断器は、携帯電話機４を利用するもので、内部に自己のＨＬＡ情報が保存されており、かつ相性診断モードを備えている。相性診断を希望する対象者がそれぞれ自己の携帯電話機４１，４２に対して相性診断モードを選択し、各自のＨＬＡ情報を電子メールを利用してネットワーク５上の専用サーバ６に送信する。専用サーバ６は受信した相性診断対象者の両ＨＬＡ情報から両者間の相性診断を行い、診断結果を送信元の携帯電話機４１，４２に電子メールで返送する。
【００４８】
基地局５１は、携帯電話機４との間で電波による無線通信（送受信）を行うためのもので、ネットワーク５上のメールサーバ５２と有線で接続されている。メールサーバ５２は電子メールの通信規約とネットワークの通信規約との間の変換を行うことで、電子メールをネットワーク上で通信可能にするものである。携帯電話機４、専用サーバ６は、公知のものが採用されており、相性診断の機能部分については、図１１に示す構成を備えている。
【００４９】
図１１において、携帯電話機４は、制御部４００、表示部４１１、音響変換部４１２及び操作部４１３を備えている。表示部４１１は画像の表示を行う液晶パネル等である。音響変換部４１２は、スピーカ及びマイクロフォンである。操作部４１３はテンキーや十字ボタンその他、各種機能ボタンで構成されている。制御部４００は、マイクロコンピュータで構成され、所定の通信処理プログラム等によって通信処理を実行すると共に、本発明部分である相性診断モードを実行するための相性診断モード実行プログラム（アプリケーションプログラム）を、図略のＲＡＭ（Random Access Memory）にインストールするようにしている。このプログラムは、例えば専用サーバ６からダウンロードして、インストールするようにすればよい。
【００５０】
表示制御部４０１は表示部４１１へ画像を表示させるものである。モード設定部４０２は、携帯電話機にアプリケーションとして設定されている相性診断モードを選択する処理を行うものである。相性診断モードの選択は、例えばアプリケーションの選択画面において、十字ボタン及び確定ボタンで指定することで実現可能である。
【００５１】
コード読取部４０３は、本発明に必須の構成ではないが、用紙等の所定箇所に、所定の表現体系で表記されているコード情報（例えばＱＲコード）を、携帯電話機４に付設されている、固体撮像素子によって構成された内蔵カメラで撮像するものである。ＱＲコードは、ＨＬＡ情報と対応付けられて携帯電話機４から専用サーバ６に送信されるもので、専用サーバ６の記憶部に、ＱＲコード毎に設けられる仮想的な部屋の１つに割り当てる、すなわち相性診断希望者を組として取り扱うようにするための一方法となるものである。従って、１組の相性診断希望者は同一のＱＲコードをそれぞれ自己の携帯電話機４１，４２で撮像することで同一組に割り振られる。
【００５２】
電子メール送信先設定処理部４０４は、相性診断モードの選択後に、電子メールの送信先として、予め設定されている専用サーバ６のＩＰアドレスに設定するものである。電子メール通信処理部４０５は、相性診断モードにおいては、専用サーバ６との間で所定の電子メールの送受信を行うものである。
【００５３】
ＨＬＡ情報記憶部４０６は、予め取得した自己のＨＬＡ情報を記憶するもので、情報記憶処理部４０７によって書込処理が実行される。なお、自己のＨＬＡ情報の書込方法は、種々の態様が考えられる。電子データの形式で情報を記憶する記録媒体を介して書き込んだり、あるいは携帯電話機４を相性診断モード（のデータ入力処理など）に切り替え、操作部４１３を用いて、用紙に表記されているＨＬＡ情報を見ながら入力したりしてもよい。あるいは、所定の管理センタ（専用サーバ６と兼用でもよい）などから電子メールを利用してＨＬＡ情報記憶部４０６に書き込む態様であってもよい。
【００５４】
専用サーバ６は、制御部６１と記憶部６２とを備えている。制御部６１は、通信制御部６１１、対象者認識部６１２、部屋割当部６１３、相性診断部６１４を備えている。記憶部６２には、相性診断プログラムを記憶する相性診断プログラム記憶部６２１を備えている。通信制御部６１１は、ネットワーク５を介して携帯電話機４と電子メールの通信を行うものである。対象者認識部６１２は、携帯電話機４からの受信メールを受信した場合に、送信元のＩＰアドレスを取得するものである。部屋割当部６１３は受信メールにＱＲコードが含まれる場合に、同一のＱＲコードの有無を判断し、なければ仮想的な１つの部屋に割り当て、あれば、同一のＱＲコードの部屋に割り当てるようにして、ＱＲコードが同一の電子メールの送信元である携帯電話機４を同一の部屋に割り当てるようにしている。相性診断部６１４は、図８、図９と同様にして相性診断を行うものである。
【００５５】
図１２は、制御部４００によって実行される、携帯電話機側の相性診断処理のフローチャートである。まず、相性診断モードが設定されたか否かが判断され（ステップＳ５１）、相性診断モードが設定されていなければ、本フローを受ける。一方、相性診断モードが設定されたと判断されると、ＱＲコードの読み取りが許可され（ステップＳ５３）、読み取り処理が実行される（ステップＳ５５）。次いで、電子メール送信先設定処理が実行され、更に、ＨＬＡ情報の送信が実行される（ステップＳ５７）。送信が終了すると、相性診断結果の受信待ちに移行する（ステップＳ５９）。相性診断結果が受信されると、相性診断結果が表示部４１１に表示される（ステップＳ６１）。表示はモード解除指示が受け付けられることで終了する（ステップＳ６３でＹ）。
【００５６】
図１３は、制御部６１によって実行される、専用サーバ側の相性診断処理のフローチャートである。ＱＲコードが付されたＨＬＡ情報が、ある携帯電話機４１から受信されると（ステップＳ７１）、受信内容が一時的に保存され（ステップＳ７３）、そのＱＲコードに対応した部屋の割り当てが行われる。次いで、受信済みのＱＲコードと同一のＱＲコードを持つＨＬＡ情報の受信があったか否かが判断される（ステップＳ７５）。この判断が否定されると、所定時間が経過したか否かが判断され（ステップＳ７７）、所定時間が経過すれば、その後、受信される可能性はないとして、本フローを終了する。一方、所定時間内に、同一のＱＲコードを持つＨＬＡ情報の、携帯電話機４２からの受信があれば、当該受信情報は、先に割り当てられている同一のＱＲコードに対応する部屋に割り当てられる（ステップＳ７９）。次いで、一時的に保存した受信内容から両者のＨＬＡ情報を抽出して、相性診断処理が実行される（ステップＳ８１）。そして、相性診断結果が、送信元である両携帯電話機４１，４２に返送される（ステップＳ８３）。
【００５７】
なお、相性診断希望対象の組を特定する方法として、以下の方法も採用可能である。すなわち、相性診断を希望する２人は、通常同時に専用サーバ６への送信を行うと考えられるため、ＱＲコードを利用せず、専用サーバ６側ではほぼ同時的に受信したＨＬＡ情報を対象組と判断してもよい。この場合、相性診断を行う前に、対象組と判断した２人の携帯電話機４１，４２に所定のコード（識別番号等）を電子メールで送信し、対象組の２人であるかどうかの確認を受け付けてから、相性診断を実行するようにしてもよい。
【００５８】
なお、本発明は、以下の種々の態様が採用可能である。
【００５９】
（１）ＨＬＡ情報の記録方法として、光の通過の有無を利用するべく孔を用いたが、これに限定されず、種々の記録方法が採用可能である。例えば、同様に、光の通過の有無を利用するものとして、相性診断用カード１，２を透明な樹脂等で構成し、自己のＨＬＡ情報に従って図２〜図４のように孔を形成する代わりに、孔が形成されないアリルの箇所に全て着色材を塗布する態様としてもよい。このようにすれば、穿孔作業が不要となり、ベースとなるカードの基体さえあれば、個人的に着色材の塗布作業が、すなわち相性診断用カードの作成が可能となる。また、全てのアリルの箇所に予め不透明のシールが貼付されており、自己のＨＬＡ情報に基づいて該当するシールのみを剥がすようにして相性診断用カードを作成するようにしてもよい。さらに、図２〜図４の孔を開ける位置に対して、カード表面に凸凹を付すようにしてもよい。例えば、相性診断用カード１では、裏面側に凸状とし、相性診断用カード２では表面側で凹状にする。そうすると、図３を参照して説明すると、対応するローカス内でアリルが一致すると凸凹が嵌ることとなり、一方、不一致であると嵌らないことから、全体として一致、不一致が識別可能となる。この場合、相性診断用カード２側は、凹状に代えて嵌合孔であってもよい。また、図２〜図４において、相性診断用カード１，２の一方の孔の部分に、あるいはＨＬＡ情報に基づいて該当するアリルに孔を開ける位置（図３の例では、孔１０１，１０３，１０５，２０２，２０４，２０６の６個）に、ＬＥＤのような点光源を配置したものとしてもよい。この場合、各カードにはバッテリー（例えばボタン状の電池）及び給電用配線が必要となり、さらに点光源を配設するため、所要の厚みも要求される。
【００６０】
（２）ＨＬＡの各ローカスについて各アリルを記録するようにしたが、これに限定されず、他の情報（固体属性情報）に置換して記録するようにしてもよい。例えば、五感の１つの感覚に対する刺激の大きさに置換する場合が考えられる。より具体的には、色、音、臭い（におい）、（カード上の位置）座標である。すなわち、感覚に対する刺激の大小を１次元に置き換えて、自己のＨＬＡ情報を全体として、その中での大きさに変換したものである。例えば、前記色とは、カードに付す色であって、ＨＬＡ情報の各ローカスにおけるアリルとの関係を表色系に関連させて１つの色相として設定するものであり、男女のカードの色相の近似度合いから相性判断を可能とするものである。前記音とは、ＨＬＡ情報を周波数に置換するものであり、この場合、カードには、設定周波数で発振可能な可変発振器、発振器からの信号を増幅して音声変換するスピーカ、電源及びオンオフボタンが必要となる。なお、音は、周波数の他、メロディーの種類、例えばロマンチックなメロディーから激しいリズムのメロディーまでの複数種類であってもよい。予め用意される複数楽曲分のメロディーのうちからＨＬＡ情報と対応設定されているメロディーがＩＣメモリ等に記録される。前記臭いとは、ＨＬＡ情報を、（悪臭防止法により指定されている物質が放つような）悪臭から匂い（香り）の複数段階のいずれかの段に置換するものであり、所定種類数の臭い源、それらの各収納部材、各開閉具が必要となる。前記座標とは、ＨＬＡ情報をカード上の位置に置換するものであり、置換された位置に、マークを付し、あるいは位置情報を単に表記した態様でもよい。位置情報を単に表記した態様では、カード上の座標の他、仮想的に設定された空間の座標であったり、地図上の位置であったりしてもよい。男女で、これらの固体属性情報の異同を識別することで相性診断が可能となる。なお、上記の各属性情報の生成部を第２実施形態である図５の相性診断器３に持たせてもよい。
【００６１】
（３）ＨＬＡ情報を携帯電話機の内部記憶部に記憶し、ネットワークを介して相性診断する態様（図１０〜図１３）に代えて、相性診断プログラムを携帯電話機の記憶部に記憶させておき、選択可能な相性診断モードを選択すると、携帯電話機に装備された遠赤外通信部を利用しての近距離通信によって、互いのＨＬＡ情報を交換することで、各携帯電話機で相性診断結果を個別に表示させるようにしてもよい。このようにすれば、ＨＬＡ情報が相性診断希望対象の２人以外に漏れることがないという利点がある。
【００６２】
（４）本実施形態では、ヒト白血球抗原のうちの、６種類のローカス、８０種類のアリルを利用したが、ローカス及びアリル数共にこれらの数に限定されない。例えば、ローカス数を減らしてもよいし、アリル数を増減させてもよい。ローカス及びアリルの個数は、相性診断の精度、及び相性診断用部材や相性診断器の規模を考慮して設定すればよい。
【００６３】
（５）前記実施形態では、ヒトの男女の相性診断について説明したが、本発明はこれに限定されず、動物にも適用可能である。昨今のペットブーム、また優秀な血統を引き継ぐべく、犬、猫、馬その他、動物の白血球抗原の型を利用してオスメス間の相性診断に適用可能できる。また、動物と人間との共通する白血球抗原の部分を利用することで、ペットの飼い主である人間と、ペットとの相性診断にも活用可能であると思われる。このような相性診断を行うことで、従来とは異なった観点でペット選びが行われることになる。
【００６４】
（６）ＨＬＡ情報を色に置き換える他の態様として、図１４に示す相性診断用カードが採用可能である。相性診断の一方側、例えば男性用の相性診断用カード１’は所定サイズを有し、材質は金属、樹脂その他でもよい。相性診断用カード１’には、父方、母方の各ローカスの記録領域が準備されており、各ローカスに対応付けられた記録領域に、該当するアリルの種類が色表示される。すなわち、アリルは、予め色相と対応付けがされている。識別部材１００’はローカス毎に準備され、当該ローカス内のアリルの種類に応じた色相が付されている。記録態様の一種類としての識別部材１００’は、ローカス毎にアリルに対応する色相のものが選択され、相性診断用カード１’上の対応する記録領域に貼付等される。強固な固定を行う場合には、例えば埋め込み式としてもよい。識別部材１００’は、色付きの石を所定の形状、例えば円盤形に加工したものでもよい。アリルと色相との関係は、アリルの種類（図１）に所定の表色系での色相を対応させてもよい。相性診断の他方側、例えば女性用の相性診断用カードについても同様である。このようにすれば、両方の相性診断用カードの各ローカスの識別別部の色を対比すれば、アリルの異同のみならず、どの程度離れているかも認識することが可能となる。
【符号の説明】
【００６５】
１，２，２０，２１，２２，１’  相性診断用カード（相性診断用部材）
１Ａ，２Ａ  カード本体（記録媒体）
１０１〜２０６  孔
Ａ，Ｂ，Ｃ，ＤＲＢ，ＤＱＢ，ＤＲＢ  ローカス
３  相性診断器
３１  読取部
３３  相性診断部
３５  表示部
４  携帯電話機（通信端末）
５  ネットワーク
６  専用サーバ
【図１】
2010237758.tif 000003
【図２】
2010237758.tif 000004
【図３】
2010237758.tif 000005
【図４】
2010237758.tif 000006
【図５】
2010237758.tif 000007
【図６】
2010237758.tif 000008
【図７】
2010237758.tif 000009
【図８】
2010237758.tif 000010
【図９】
2010237758.tif 000011
【図１０】
2010237758.tif 000012
【図１１】
2010237758.tif 000013
【図１２】
2010237758.tif 000014
【図１３】
2010237758.tif 000015
【図１４】
2010237758.tif 000016